(57)【要約】  【課題】  ヒンジを使って、中間プレートをいくつでも増やすことのできる保管ケースを容易に組み立てられるようにする。  【解決手段】  モジュラーディスク保存ケース１０は、複数のディスク装着プレート１１，１２，１３を含み、かつ、それらのプレートの少なくとも１つに固定されるいくつかのヒンジ１５を含む背部１４により、それぞれのプレートの側縁が、隣接したプレートの側縁に付けられる。  【選択図】  図１
0003110134.tif 000002
【実用新案登録請求の範囲】
【請求項１】
複数のディスク装着プレートを含み、かつ、前記プレートの少なくとも１つに固定される複数のヒンジを含む背部により、それぞれのプレートの側縁が、隣接した前記プレートの側縁に付けられるようなモジュラーディスク保存ケース。
【請求項２】
各プレートが、その前記側縁に穴を含み、また、各ヒンジが、１つの前記プレートの前記穴に入る第１の留め舌片と、隣接した前記プレートの前記穴に入る第２の留め舌片とを含む、請求項１に記載のモジュラーディスク保存ケース。
【請求項３】
前記第１の留め舌片が、前記第２の留め舌片よりも長い請求項２に記載のモジュラーディスク保存ケース。
【請求項４】
各前記穴が、前記第１の留め舌片を受け入れる長い部分と、隣接した前記ヒンジの第２の留め舌片を受け入れる、前記長い部分のすぐ隣りの短い部分とを含む請求項３に記載のモジュラーディスク保存ケース。
【請求項５】
前記第１の留め舌片と前記第２の留め舌片が、同じ長さのものである請求項２に記載のモジュラーディスク保存ケース。
【請求項６】
各前記穴が、前記ヒンジの１つの留め舌片と、隣接ヒンジの１つの留め舌片を受け入れ、かつ、それらの留め舌片が互いに突付けになる請求項５に記載のモジュラーディスク保存ケース。
【請求項７】
各前記プレートが、その前記側縁に、長手に揃えられた一対の隣り合った穴と、一対の前記ヒンジを含み、また、前記ヒンジの第１のヒンジが、前記一対の穴の一方の穴に入る第１の留め舌片と、隣接した前記プレートの穴に入る第２の留め舌片とを含み、また、前記ヒンジの第２のヒンジが、前記一対の穴の他方の穴に入る第１の留め舌片と、別の隣接した前記プレートの穴に入る第２の留め舌片とを含む請求項１に記載のモジュラーディスク保存ケース。
【請求項８】
前記留め舌片と前記穴はそれぞれ、前記ヒンジの不必要な取り外しを防止する連結機構を含む請求項２に記載のモジュラーディスク保存ケース。
【請求項９】
前記連結機構は、弾性スナップ係合タブを含む請求項８に記載のモジュラーディスク保存ケース。
【請求項１０】
各前記ヒンジが、弾性プラスチック材でできていて、前記第１の留め舌片と前記第２の留め舌片との間に延びているブリッジを含み、かつ、前記ブリッジには、前記ブリッジを繰り返し曲げられるようにするために、長手方向に細長いストリップが付けられている請求項２に記載のモジュラーディスク保存ケース。
【請求項１１】
前記プレートの少なくとも１つが、その前記側縁に穴を含み、また、各前記ヒンジが、前記プレートのうちの隣接する１つと一体に形成された留め舌片を含み、前記留め舌片が前記穴に入るようになっている請求項１に記載のモジュラーディスク保存ケース。
【請求項１２】
前記留め舌片と前記穴がそれぞれ、前記穴からの、前記留め舌片の不必要な取り外しを防止する連結機構を含む請求項１１に記載のモジュラーディスク保存ケース。
【請求項１３】
前記連結機構が、弾性スナップ係合タブを含む請求項１２に記載のモジュラーディスク保存ケース。
【請求項１４】
各前記ヒンジが、弾性プラスチック材でできていて、前記隣接した前記プレートから前記留め舌片まで延びているブリッジを含み、かつ、前記ブリッジには、前記ブリッジを繰り返し曲げられるようにするために、長手方向に細長いストリップが付けられている請求項１０に記載のモジュラーディスク保存ケース。
【考案の詳細な説明】
【技術分野】
【０００１】
本考案は、ＣＤ、ＤＶＤ、ＶＣＤ、もしくは、それらに類するものなどのメディア・ディスク用の保存ケースに関する。排他的ではなく、さらに特定すれば、本考案は、複数のプレートの少なくとも１つに固定されたヒンジにより枢動可能に相互連結されたプレートを含み、また、これらのヒンジを含む背部により、モジュラー様式で所望の数のプレートをいっしょに蝶着できるようなモジュラーＤＶＤ保管ケースに関する。
【背景技術】
【０００２】
ＤＶＤ用のほとんどの一枚ディスク保管ケースは、ＤＶＤを装着するバックプレートと、閉じたときに、ＤＶＤをカバーするように、このバックプレートに蝶着されたフロントプレートとを含む。二枚ディスク保管ケースはまた、フロントプレートの内側の面に２番目のディスクを付けられるようにしている。複数枚ＤＶＤ用の保管ケースは、本のページのように、フロントプレートとバックプレートとの間に、定められた数の中間ディスク装着プレートを持つことができるが、ただし、このような保管ケースは、定められた寸法の一体形成された背部を用いて設計されるために、それらの記憶容量が、定められた最高ディスク枚数に制限される。これは、例えば一続きのエピソードが、ばらばらに購入される場合、あるいは、例えば音楽またはソフトウェアが入っている個々のＣＤを、「アルバム」に保存するように求められる場合に、問題となることもある。すなわち、これらのものは、別々の一枚ディスク保管ケースに保存され、かつ／または、その収集が増すにつれて、１つまたは複数の、限定サイズの複数枚ディスク保管ケースの全体に広がる。
【０００３】
さらに、一枚ディスク保管ケースのメーカは、複数枚ディスク保管ケースも製造しており、製造されるケースのタイプごとに、別々で、かつ費用のかかる工作機械および生産設備も必要とする。
【考案の開示】
【考案が解決しようとする課題】
【０００４】
本考案の目的は、上記の欠点の少なくとも１つを克服するか、あるいは大幅に改善することであり、および／または、さらに一般的に言えば、これらのプレートの少なくとも１つに固定されるヒンジを持つモジュラー保管ケースを提供して、そのフロントプレートとバックプレートとの間に、プレートをいくつでも持てる保管ケースを容易に組み立てられるようにすることである。
【課題を解決するための手段】
【０００５】
本考案により、複数のディスク装着プレートを含み、かつ、それらのプレートの少なくとも１つに固定される複数のヒンジを含む背部により、それぞれのプレートの側縁が、隣接した前記プレートの側縁に付けられるようなモジュラーディスク保存ケースが提供される。
【０００６】
好ましくは、各プレートは、その上記側縁に穴を含み、また、各ヒンジは、上記１つのプレートの穴に入る第１の留め舌片と、隣接した前記プレートの穴に入る第２の留め舌片とを含む。
【０００７】
一実施形態では、第１の留め舌片は、第２の留め舌片よりも長い。
【０００８】
上記の実施形態では、各穴は、第１の留め舌片を受け入れる長い部分と、隣接ヒンジの第２の留め舌片を受け入れる、上記長い部分のすぐ隣りの短い部分とを含んでもよい。
【０００９】
別の形態として、第１の留め舌片と第２の留め舌片は、同じ長さのものであってもよい。
【００１０】
好ましくは、各穴は、ヒンジの１つの留め舌片と、隣接ヒンジの１つの留め舌片を受け入れ、かつ、それらの留め舌片が互いに突付けになる。
【００１１】
他の実施形態では、各プレートは、その上記側縁に、長手に揃えられた一対の隣り合った穴と、一対の上記ヒンジとを含み、また、これらのヒンジの第１のヒンジが、上記一対の穴の一方の穴に入る第１の留め舌片と、隣接した前記プレートの穴に入る第２の留め舌片を含み、また、これらのヒンジの第２のヒンジが、上記一対の穴の他方の穴に入る第１の留め舌片と、別の隣接した前記プレートの穴に入る第２の留め舌片とを含む。
【００１２】
好ましくは、これらの留め舌片と穴はそれぞれ、ヒンジの不必要な取り外しを防止する連結機構を含む。
【００１３】
好ましくは、この連結機構は、弾性スナップ係合タブを含む。
【００１４】
好ましくは、各ヒンジは、弾性プラスチック材でできていて、第１の留め舌片と第２の留め舌片との間に延びているブリッジを含み、かつ、そのブリッジには、ブリッジを繰り返し曲げられるようにするために、長手方向に細長いストリップが付けられている。
【００１５】
好ましくは、これらのプレートの少なくとも１つは、その上記側縁に穴を含み、また、各ヒンジは、上記プレートのうちの隣接する１つと一体に形成された留め舌片を含み、その留め舌片が上記穴に入るようになっている。
【００１６】
好ましくは、これらの留め舌片と穴はそれぞれ、穴からの、留め舌片の不必要な取り外しを防止する連結機構を含む。
【００１７】
好ましくは、この連結機構は、弾性スナップ係合タブを含む。
【００１８】
好ましくは、各ヒンジは、弾性プラスチック材でできていて、上記隣接した前記プレートから留め舌片まで延びているブリッジを含み、かつ、そのブリッジには、ブリッジを繰り返し曲げられるようにするために、長手方向に細長いストリップが付けられている。
【考案を実施するための最良の形態】
【００１９】
次に、本考案は、図面を参照して、例示としてのみ、さらに具体的に述べる。
添付図面の図１〜図５には、例えばＤＶＤディスクを保存するために、本考案を織り込んだモジュラーディスク保存ケース１０、すなわちＤＶＤ保管ケースの様々な構成要素が図式的に示されている。ＤＶＤ保管ケース１０の第１の実施形態は、フロント・カバープレート１１とバック・カバープレート１２、および、それらのカバープレートの間に設けられた中間プレート１３を含む。プレート１１、プレート１２、プレート１３は、ＤＶＤ保管ケースの技術分野において知られているプラスチック材でできている。
【００２０】
フロント・カバープレート１１とバック・カバープレート１２の一方または両方は、その内側にＤＶＤ装着用ボス（隆起）を持っていてもよく、ケース１０が複数枚のＤＶＤを保存できるように、１つまたは複数の中間プレート１３は、その片側または両側にＤＶＤ装着用ボス１６を持っていてもよい。
【００２１】
ケース１０の１つの側縁において、背部１４は、別々に製作されたいくつかのヒンジ部材１５を用いて、プレート１１、プレート１２、プレート１３を枢動可能に相互連結する。さらに他の中間プレート１３を含めたい場合には、さらに他のヒンジ部材１５を提供することができる。
【００２２】
各プレート１１、１２、１３は、プレート１１、１２、１３の背部側縁に、一対の溝穴１７を含む。各溝穴１７は、長い部分１９と、長い部分１９の横側に短い部分２０とを含む。各溝穴１７の背後には、また、各スロット１７の両側には、一対の対向する凹み１８が位置づけられている。
【００２３】
各ヒンジ部材１５は、細長い曲げストリップ２４が長手方向に形成されているブリッジ２３によって連結され、かつ互いに一体形成された第１の留め舌片２１と第２の留め舌片２２を含む。曲げストリップ２４により、ヒンジ１５は、求められる通りに開閉することができる。第１の留め舌片２１と第２の留め舌片２２はそれぞれ、それらと一体形成され、かつ、それぞれの開口２６内にあるスナップ係合タブ２５を含み、また、それぞれの留め舌片２１、２２の平面から突出するようにわずかに傾斜している。図５に示されるように、タブ２５は両方とも、同じ方向に突出している。さらに、長い方の留め舌片２１のタブ２５は、短い方の留め舌片２２に向かって延びており、また、短い方の留め舌片２２のタブ２５は、長い方の留め舌片２１から遠ざかる。ＤＶＤケース１０の背部１４において、隣り合ったプレートを蝶着するために、ヒンジ部材１５の第１の留め舌片２１を、溝穴１７の１つの長い部分１９に押し込む。第１の留め舌片２１のスナップ係合タブ２５を、凹み１８の１つにパチンと嵌め込む。同時に、または後で、第２の留め舌片２２を、隣接したプレートの溝穴１７の短い部分２０に押し込む。第２の留め舌片２２のスナップ係合タブ２５を、上記隣接したプレートの溝穴１７の短い部分２０の横側にある隣接した凹み１８にパチンと嵌め込む。
【００２４】
見てわかるように、第１の留め舌片２１と第２の留め舌片２２の長さが異なることにより、ヒンジ部材１５は、一方向でしか差し込むことができない。このことから、確実にスナップ係合タブ２５を正しい向きに置くことができ、それゆえ、ＤＶＤ保管ケース１０の各凹み１８は、スナップ係合タブ２５を１つしか受け入れることができない（すなわち、一対のスナップ係合タブ２５を、逆にして、ただ１つの凹み１８に入れさせることはできない）。
【００２５】
第２の実施形態により製作されたＤＶＤ保管ケース１０は、図６〜図８に示されている。これらの図において、中間プレート１３だけが示されているが、ただし、フロントプレートとバックプレートが、通常、含まれることになる。ただ１つの留め舌片２１が突出している細長い曲げストリップ２４を用いて各中間プレート１３の側端に恒久的に付けられたヒンジ部材１５は、各中間プレート１３と一体に形成されている。各留め舌片２１は、内向きのリップ２７と、開口２６内にある平面内タブ２５を含む（図７を参照）。
【００２６】
各プレート１３の背部側縁には、溝穴１７と隣接した凹み１８がある。１つのプレート１３の留め舌片２１は、隣接するプレート１３の溝穴１７に入り込むことができる。この実施形態では、留め舌片２１のタブ２５は、変形するように意図されていない。その代わり、留め舌片２１のうち、開口２６を取り巻く部分は、留め舌片２１を、隣接するプレート１３の溝穴１７に差し込んで、リップ２７を、凹み１８の所定の位置にパチンと嵌めると、弾性的に変形する。万一、ＤＶＤ保管ケース１０から１つまたは複数のプレート１３を取り外したいと思ったら、留め舌片２１のうち、開口２６を取り巻く部分は、凹み１８からリップ２７を引き出すようにユーザが容易に持ち上げることができ、したがって、溝穴１７から留め舌片２１を取り出せるようにしている。
【００２７】
本考案を織り込んだ第３のＤＶＤ保管ケース１０は、図９〜図１１に示されており、これは、個々のプレート１３がかなり薄い細長い（スリムライン）設計のものである。この目的のために、ヒンジ１５は、図９に示されるように、プレート１１、プレート１２、プレート１３に、段違いに付けられるように意図されている。さらに、各プレート１３の厚さ制限については、各ヒンジ部材１５の幅寸法にたいして影響されることはなく、ＤＶＤ保管ケース１０内の隣り合ったプレートが、（４つではなく）一対のヒンジ部材１５によってのみ、互いに蝶着される。
【００２８】
これらの図に示されるように、プレート１１、プレート１２、プレート１３はそれぞれ、４つの切込み２８を含み、一対の横穴３０が貫通している繋止薄板２９が、長手方向に、これらの切込みのそれぞれを横切っている。
【００２９】
各ヒンジ部材１５は、一対の留め舌片２１および２２を含み、かつ、それぞれの留め舌片は、通常、長さと特徴が同一である。ブリッジ２３は、各留め舌片２１、２２と一体形成されているものであって、第１の実施形態に関して述べられたものと同様な細長いストリップ２４を含む。しかしながら、第３の実施形態では、各留め舌片２１、２２は、それぞれの留め舌片２１、２２から外に向って延びている小さい一体傾斜隆起として形成された一対の外向き弾性タブ２５を含む。
【００３０】
図９中の矢印で示されるように、ヒンジ１５を、それぞれの切込み２８に押し込んで、１つのヒンジ部材１５の留め舌片２１と留め舌片２２が、１つのプレートの繋止薄板２９に横付けになるようにし、また、長手に隣接するヒンジ部材１５の留め舌片２１と留め舌片２２が、隣接したプレートの繋止薄板２９に横付けになるようにしている。言い替えれば、１つのヒンジ部材１５の第１の留め舌片２１が、長手に隣接するヒンジ部材１５の第２の留め舌片２２と長手方向に並べられる。ヒンジ部材１５を、それぞれの切込み２８の所定の位置に押し込むと、タブ２５は、それぞれの穴３０にスナップ係合して、いったんこのように位置づけられたヒンジ部材１５が取り外されないようにしている。
【００３１】
当業者には明らかである変更および改造は、本考案の範囲を逸脱するものとは見なされないことになっていると理解すべきである。
【００３２】
例えば、別途に製造された任意の適切な形式のヒンジと、それに対応して形成された、各プレート中の受け入れ溝穴が考えられる。さらに、ＤＶＤ保管ケース１０として、好ましい実施形態が述べられているが、ＤＶＤ以外のディスクを保存するためにも、これらのＤＶＤ保管ケースを利用できるであろう。
【図面の簡単な説明】
【００３３】
【図１】本考案によるモジュラーディスク保存ケースの第１の実施形態の斜視図である。
【図２】図１のモジュラーディスク保存ケースの背部の立面図である。
【図３】図１のモジュラーディスク保存ケースの各部分解斜視図である。
【図４】図１のモジュラーディスク保存ケースのヒンジの斜視図である。
【図５】図４のヒンジの他の斜視図である。
【図６】本考案によるモジュラーディスク保存ケースの第２の実施形態のプレートの各部分解斜視図である。
【図７】図６のモジュラーディスク保存ケースの隣り合った閉じたプレートの斜視図である。
【図８】図６のモジュラーディスク保存ケースの隣り合った閉じたプレートのさらに他の斜視図である。
【図９】本考案によるモジュラーディスク保存ケースの第３の実施形態の各部分解斜視図である。
【図１０】図９のモジュラーディスク保存ケースの各部分解斜視図である。
【図１１】ヒンジ部品を取り付けてない閉じた構成にある図９のモジュラーディスク保存ケースの斜視図である。
【符号の説明】
【００３４】
１０  保存ケース
１１  フロント・カバープレート
１２  バック・カバープレート
１３  中間プレート
１４  背部
１５  ヒンジ
【図１】
0003110134.tif 000003
【図２】
0003110134.tif 000004
【図３】
0003110134.tif 000005
【図４】
0003110134.tif 000006
【図５】
0003110134.tif 000007
【図６】
0003110134.tif 000008
【図７】
0003110134.tif 000009
【図８】
0003110134.tif 000010
【図９】
0003110134.tif 000011
【図１０】
0003110134.tif 000012
【図１１】
0003110134.tif 000013